(57)【要約】【課題】接触式のシール部材の固定におけるバイパス経路の形成を防止すると共に、リップ部の内周縁形状の固定時の位相ずれを防止する手段を提供する。【解決手段】ボールねじ装置１に、そのナット５の軸方向の端部に形成され、外周面に２つの斜面８ａ、８ｂを有するＶ溝８を形成した円筒状の取付部９と、取付部９の外周面に嵌合する嵌合面１１を形成したシールキャップ１２と、シールキャップ１２の半径方向に形成され、嵌合面１１に貫通する取付ねじ穴２０と、先端に円錐面１９ａを有し、取付ねじ穴２０に螺合する止めねじ１９とを設け、シールキャップ１２の取付ねじ穴２０に螺合させた止めねじ１９の先端の円錐面１９ａを、取付部８のＶ溝８の軸方向の外側に形成された斜面８ａである押圧斜面に押圧して、シールキャップ１２に取付けられたねじ軸２の軸直角断面形状と相似の内周縁形状のリップ部１７ａを有するシール部材１５を固定する。【選択図】        図２
2008261403.tif 000002
【特許請求の範囲】
【請求項１】
外周面に螺旋状の軸軌道溝を形成したねじ軸と、内周面に前記軸軌道溝に対向するナット軌道溝を形成したナットと、前記軸軌道溝とナット軌道溝とを螺合させる複数のボールと、前記ねじ軸の軸直角断面形状と相似の内周縁形状のリップ部を有し、前記ねじ軸に摺接するシール部材とを備えたボールねじ装置において、
前記ナットの軸方向の端部に形成され、外周面に２つの斜面を有するＶ溝を形成した円筒状の取付部と、
該取付部の外周面に嵌合する嵌合面を形成した環状部品と、
該環状部品の半径方向に形成され、前記嵌合面に貫通する取付ねじ穴と、
先端に円錐面を有し、前記取付ねじ穴に螺合する止めねじと、を設け、
前記シール部材を、前記環状部品の前記嵌合面と反対側の端部に取付け、
前記環状部品の取付ねじ穴に螺合させた止めねじの先端の円錐面を、前記取付部のＶ溝の軸方向の外側に形成された斜面である押圧斜面に押圧して、前記環状部品に取付けられたシール部材を固定することを特徴とするボールねじ装置。
【請求項２】
外周面に螺旋状の軸軌道溝を形成したねじ軸と、内周面に前記軸軌道溝に対向するナット軌道溝を形成したナットと、前記軸軌道溝とナット軌道溝とを螺合させる複数のボールと、前記ねじ軸の軸直角断面形状と相似の内周縁形状のリップ部を有し、前記ねじ軸に摺接するシール部材とを備えたボールねじ装置において、
前記ナットの軸方向の端部の内周面に形成された嵌合面と、
該嵌合面に嵌合する外周面に、２つの斜面を有するＶ溝を形成した円筒状の取付部を形成した環状部品と、
前記ナットの半径方向に形成され、前記嵌合面に貫通する取付ねじ穴と、
先端に円錐面を有し、前記取付ねじ穴に螺合する止めねじと、を設け、
前記シール部材を、前記環状部品の前記取付部と反対側の端部に取付け、
前記ナットの取付ねじ穴に螺合させた止めねじの先端の円錐面を、前記取付部のＶ溝の軸方向の外側に形成された斜面である押圧斜面に押圧して、前記環状部品に取付けられたシール部材を固定することを特徴とするボールねじ装置。
【請求項３】
請求項１または請求項２において、
前記Ｖ溝の２つの斜面を、それぞれ異なる傾斜角で形成し、
前記押圧斜面の傾斜角を、前記円錐面の傾斜角に一致させたことを特徴とするボールねじ装置。
【請求項４】
請求項１ないし請求項３のいずれか一項において、
前記取付ねじ穴が、円周方向に３箇所等配に形成されていることを特徴とするボールねじ装置。
【請求項５】
請求項１ないし請求項４のいずれか一項において、
前記シール部材のリップ部を、前記ナットの軸方向の外側に向かって縮小する円錐台形状に形成したことを特徴とするボールねじ装置。
【発明の詳細な説明】
【技術分野】
【０００１】
本発明は、工作機械や産業機械、半導体製造装置、射出成形機、プレス成形機、精密機械等の機械装置の移動台の位置決め用や搬送用、動力伝達用の送り機構等に用いられるボールねじ装置に関する。
【背景技術】
【０００２】
従来のボールねじ装置は、ねじ軸の外周面に螺旋状に形成した軸軌道溝と、ナットの内周面に形成した軸軌道溝に対向するナット軌道溝とを複数のボールを介して螺合させ、そのねじ軸の軸直角断面（ねじ軸の軸芯が鉛直線となる断面をいう。）の形状に所定の締め代を持たせた相似形状の内周縁形状のリップ部を有する薄板平板状の２枚のシール部材をスペーサに取付けて環状のシール装置を形成し、シール部材のリップ部をねじ軸の軸直角断面と平行にし、ナットの軸方向の両端部の挿入穴に挿入してナット外径側からセットボルトによりシール装置の外周面を押圧し、またはナットの両端面にボルトにより締結して固定し、リップ部の内周縁を軸軌道溝およびねじ軸の外周面に摺接させた接触式シールを構成してナットの内部への塵芥等の異物の侵入を防止している（例えば、特許文献１参照。）。
【０００３】
このような接触式のシール装置は、シール部材のリップ部をねじ軸の軸直角断面と平行にして、その内周縁を軸軌道溝およびねじ軸の外周面に摺接させているので、リップ部の内周縁が摺接するねじ軸の軸軌道溝の溝底を境にしてリップ部の内周縁の軸方向に捲れ返る方向が異なり、ナットの内側に向かって捲れ返った内周縁から異物が内部に侵入しやすくなってシール性を損なう虞があるため、出願人は、特願２００６−２４８９７において、リップ部をナットの軸方向の外側に向かって縮小する円錐台形状に形成したシール部材を、ボルトによりナットの両端部の嵌合穴の底面に締結して固定し、リップ部の内周縁の捲れ返る方向を全てナットの軸方向の外側に向かう方向として、接触式のシール部材のシール性を向上させることを提案している。
【特許文献１】特開２００５−２７３６８０号公報（第５頁段落００２５−第６頁段落００３７、段落００４９、段落００６５、第１図、第４図、第８図）
【発明の開示】
【発明が解決しようとする課題】
【０００４】
しかしながら、上述した特許文献１の技術においては、シール装置を挿入穴に挿入し、その外周面をナット外径側からセットボルトにより押圧して固定しているため、シール装置を挿入穴の底面に押圧することが難しく、そこに形成される隙間と、挿入穴の内周面とシール装置の外周面により形成される隙間とにより、外部からシール装置の裏側のナットの内部に通ずるバイパス経路が形成され、工作機械に用いられる切削液や冷却液およびこれらに浮遊する細かな異物が侵入しやすくなり、ボールねじ装置が損傷する虞があるという問題がある。
【０００５】
また、シール装置をナットの端面等にボルトにより締結して固定した場合は、前記のバイパス経路が形成されることはないが、リップ部の内周縁形状が、ねじ軸の摺接部位の軸直角断面形状と相似形状にした複雑な形状に形成されているため、ボールを介して螺合するねじ軸やナットが、所定の許容差の範囲で形成されていたとしても、複数の部品を介してナットに固定されたシール装置のリップ部の内周縁が、軸軌道溝およびねじ軸の外周面に摺接するので、シール装置の固定時にねじ軸の摺接部位の形状とリップ部の内周縁形状との位相を合せることが難しく、位相ずれが生ずると、リップ部とねじ軸の間に隙間が生じてシール性を損ねると共に、局所的に締め代が増えて駆動トルクが過大になる虞があるという問題がある。
【０００６】
本発明は、上記の問題点を解決するためになされたもので、接触式のシール部材の固定におけるバイパス経路の形成を防止すると共に、リップ部の内周縁形状の固定時の位相ずれを防止する手段を提供することを目的とする。
【課題を解決するための手段】
【０００７】
本発明は、上記課題を解決するために、外周面に螺旋状の軸軌道溝を形成したねじ軸と、内周面に前記軸軌道溝に対向するナット軌道溝を形成したナットと、前記軸軌道溝とナット軌道溝とを螺合させる複数のボールと、前記ねじ軸の軸直角断面形状と相似の内周縁形状のリップ部を有し、前記ねじ軸に摺接するシール部材とを備えたボールねじ装置において、前記ナットの軸方向の端部に形成され、外周面に２つの斜面を有するＶ溝を形成した円筒状の取付部と、該取付部の外周面に嵌合する嵌合面を形成した環状部品と、該環状部品の半径方向に形成され、前記嵌合面に貫通する取付ねじ穴と、先端に円錐面を有し、前記取付ねじ穴に螺合する止めねじと、を設け、前記シール部材を、前記環状部品の前記嵌合面と反対側の端部に取付け、前記環状部品の取付ねじ穴に螺合させた止めねじの先端の円錐面を、前記取付部のＶ溝の軸方向の外側に形成された斜面である押圧斜面に押圧して、前記環状部品に取付けられたシール部材を固定することを特徴とする。
【発明の効果】
【０００８】
これにより、本発明は、ナットと環状部品との端面同士を押付けて接触式のシール部材の固定におけるバイパス経路となる隙間の形成を防止することができると共に、シール部材の固定時のリップ部の内周縁形状の位相を任意に設定することが可能になり、リップ部の内周縁形状とねじ軸の摺接部位の形状との位相を正確に設定してリップ部の内周縁形状の位相ずれを防止することができるという効果が得られる。
【発明を実施するための最良の形態】
【０００９】
以下に、図面を参照して本発明によるボールねじ装置の実施例について説明する。
【実施例１】
【００１０】
図１は実施例１のボールねじ装置の断面を示す説明図、図２は図１のＡ部拡大図、図３は実施例１のシール組立体の正面を示す説明図である。
図１において、１はボールねじ装置である。
２はボールねじ装置１の転動体としてのボールであり、合金鋼等の鋼材で製作された球体である。
【００１１】
３はボールねじ装置１のねじ軸であり、合金鋼等の鋼材で製作された棒状部材であって、その外周面には略半円弧状断面形状の軸軌道溝４が所定のリードで螺旋状に形成されている。
５はボールねじ装置１のナットであり、合金鋼等の鋼材で製作された円筒状部材であって、その内周面には軸軌道溝４と対向する略半円弧状断面形状のナット軌道溝６が軸軌道溝４と同じリードで形成されており、その外周部の一方の端部には、ナット５を図示しない機械装置の移動台にボルト等で固定するためのフランジ部７が設けられている。
【００１２】
また、ナット５の一方の端部（本実施例では、フランジ部７側）の端面には、図２に示すように、外周面に２つの斜面８ａ、８ｂを有するＶ溝８が形成された円筒状の取付部９が形成されている。
上記のねじ軸３の軸軌道溝４とこれに対向するナット５のナット軌道溝６とによりボール２が転動する負荷路が形成され、負荷路を転動するボール２がねじ軸３とナット５とを螺合させる。
【００１３】
また、負荷路の両端部は、図示しない連通路としてのリターンチューブにより連通されて循環路が形成され、この循環路には複数のボール２と所定の量の潤滑剤、例えばグリースが封入され、ねじ軸３の回転に伴ってボール２が循環路を循環し、負荷路を転動するボール２がナット５に加えられた荷重を往復動自在に支持してナット５がねじ軸３の長手方向に沿った直線往復移動可能に支持される。これによりねじ軸３の回転運動がナット５の直線運動に変換される。
【００１４】
図２、図３において、１０はシール組立体であり、取付部９の外周面に所定の隙間代を介して嵌合する嵌合面１１が形成された環状部品としてのシールキャップ１２と、このシールキャップ１２の嵌合面１１の反対側の端部に設けられた凹部１３の底面にボルト１４で締結されたシール部材１５とで構成されている。
シール部材１５は、合金鋼等の板材でドーナツ板状に形成された芯金１６とこの芯金に焼付けや接着等の接合手段で接合された天然ゴムや合成ゴム、合成繊維等の弾性を有する弾性材で製作されたシール体１７とにより構成され、シール体１７のリップ部１７ａは、ナット５の軸方向（単に、軸方向という。）の外側に向かって縮小する円錐台形状の皿状に形成され、そのリップ部１７ａの内周縁１７ｂは、図３に示すように、ナット５の端部に設置したときに、内周縁１７ｂが摺接するねじ軸３の外周面３ａおよび軸軌道溝４の部位の軸直角断面の形状に所定の締め代を持たせた相似形状に形成されており、リップ部１７ａの内周縁１７ｂがねじ軸３に摺接して接触式シールとして機能する。
【００１５】
１９は無頭の止めねじであり、その先端には所定の頂角で形成された先端に向かう方向に縮小する円錐面１９ａが形成されており、シールキャップ１２の外周面から嵌合面１１に半径方向に貫通して形成された取付ねじ穴２０に螺合して、シール組立体１０をナット５の端部に形成された取付部９に固定するために用いられる。
本実施例の止めねじ１９は、無頭の六角穴付先とがりボルトであり、その円錐面１９ａの頂角は９０度に形成されている。
【００１６】
また、本実施例のＶ溝８の斜面８ａ、８ｂは、挟み角を６０度として半径方向から測った傾斜角で、異なった傾斜角に形成され、斜面８ａの傾斜角は止めねじ１９の円錐面９ａと同一の４５度に、斜面８ｂの傾斜角は１５度に形成されている。
このようなＶ溝８は、図４に示すように、先端角が６０度に形成された市販のねじ切り用のチップ２５を工具ホルダ２６に固定し、工作機械の工具台２７のホルダベース２８に１５度で傾斜した傾斜面２８ａを加工し、この傾斜面２８ａに工具ホルダ２６の固定してナット５の取付部９の外周面を加工して形成される。
【００１７】
このようにすれば、特別なチップ２５を用いなくても、市販の汎用チップを用いてＶ溝８を容易に形成することができると共に、チップ２５を傾けてＶ溝８を加工するので、Ｖ溝８の位置をナット５の端面に近づけることができ、取付部９の軸方向長さを短縮することが可能になる。
この場合に、ホルダベース２８を加工せずに、工具ホルダ２６を加工するようにしてもよく、図５に示すように、チップ２５を固定する工具ホルダ２６のチップ座面を加工してチップ２５を傾けるようにしてもよい。
【００１８】
上記のシールキャップ１２には、図３に示すように、取付ねじ穴２０が円周方向に３箇所等配（１２０度毎）に形成され、その軸方向の位置は、図２に示すように、止めねじ１９の中心線が、Ｖ溝８の挟み角の頂点より取付部９の軸方向の外側になるように形成されている。
上記の構成により、シール部材１５を取付けた本実施例のシール組立体１０は、そのシールキャップ１２の嵌合面１１をナット５の端部の取付部９の外周面に嵌合させ、シールキャップ１２の取付けねじ穴２０に螺合させた止めねじ１９をねじ込み、その円錐面１９ａで、取付部９のＶ溝８の軸方向の外側に位置する斜面８ａ（押圧斜面という。）を半径方向の３方向から押圧し、シールキャップ１２のナット５側の端面をナット５の端面に押付けてナット５の端部に強固に固定される。
【００１９】
このように、本実施例においては、シール部材１５を取付けたシールキャップ１２の嵌合面１１を、ナット５の端部の取付部９の外周面に嵌合させるので、リップ部１７ａとねじ軸３との芯合せを容易に行うことができる。
また、取付部９の外周面に形成されたＶ溝８の押圧斜面を、止めねじ１９の円錐面１９ａで３方向から押圧してシール組立体１０を固定するので、ナット５とシールキャップ１２との端面同士を均等に押付けてバイパス経路となる隙間の形成を防止することができる。
【００２０】
更に、シール組立体１０を止めねじ１９で固定するので、固定時のリップ部１７ａの内周縁１７ｂの形状の位相を任意に設定することが可能になり、シール部材１５の固定時におけるリップ部１７ａの内周縁１７ｂの形状とねじ軸２の摺接部位の形状との位相を正確に設定することができ、位相ずれによるシール性の低下や、駆動トルクの増大を防止することができる。
【００２１】
更に、押圧斜面の傾斜角を、止めねじ１９の円錐面１９ａの傾斜角に一致させてあるので、押圧部における面圧の増大を防止しながら、円滑に押圧斜面を押圧することが可能になる。
更に、シール部材１５のリップ部１７ａをナット５の軸方向の外側に向かって縮小する円錐台形状に形成してあるので、リップ部１７ａの内周縁１７ｂの捲れ返る方向を全てナット５の軸方向の外側に向かう方向とすることができ、接触シールのシール性を向上させてナットの外部からの異物の侵入を確実に防止することができる。
【００２２】
以上説明したように、本実施例では、ボールねじ装置のナットの軸方向の端部に外周面にＶ溝を形成した取付部を形成し、その外周面に嵌合する嵌合面が形成されたシールキャップに、嵌合面に貫通する取付ねじ穴を設け、この取付ねじ穴に螺合する止めねじの先端の円錐面を、取付部のＶ溝の押圧斜面に押圧して、シールキャップに取付けられたシール部材を固定するようにしたことによって、ナットとシールキャップとの端面同士を押付けてバイパス経路となる隙間の形成を防止することができると共に、シール部材の固定時のリップ部の内周縁形状の位相を任意に設定することが可能になり、リップ部の内周縁形状とねじ軸の摺接部位の形状との位相を正確に設定することができ、リップ部の内周縁形状の位相ずれを防止して、接触シールのシール性の向上を図ることができる。
【００２３】
また、Ｖ溝の２つの斜面を、それぞれ異なる傾斜角で形成し、押圧斜面の傾斜角を止めねじの円錐面の傾斜角に一致させたことによって、押圧斜面と円錐面との押圧部における面圧の増大を防止しながら、円滑に押圧斜面を押圧することができる。
更に、シールキャップの取付ねじ穴を、円周方向に３箇所等配に形成したことによって、止めねじの先端の円錐面による取付部の押圧斜面の押圧を均等に行うことができ、ナットとシールキャップとの端面同士を押付けをより均等にして、バイパス経路となる隙間の形成を更に防止することができる。
【００２４】
なお、本実施例においては、シール組立体をナットのフランジ部側の端部に固定する場合を例に説明したが、フランジ部の反対側の端部に設けるようにしてもよく、両端部に設けるようにしてもよい。要は異物の侵入を防止することが必要な側のナットの端部に設けるようにすればよい。
【実施例２】
【００２５】
図６は実施例２のボールねじ装置の断面を示す説明図、図７は実施例２のシール組立体の正面を示す説明図である。
なお、上記実施例１と同様の部分は、同一の符号を付してその説明を省略する。
図６、図７において、３０はシール組立体である。
本実施例のシール組立体３０の環状部品としてのシールキャップ３１には、その一の端部に、上記実施例１の取付部９と同様に、外周面に２つの斜面８ａ、８ｂを有するＶ溝８が形成された円筒状の取付部３２が形成されており、その軸方向の外側に位置する斜面８ａが、止めねじ１９の円錐面１９ａに押圧される本実施例の押圧斜面として機能する。
【００２６】
また、シールキャップ３１の取付部３２と反対側の端部には、実施例１と同様の凹部１３が設けられており、その底面にシール部材１５がボルト１４で締結される。
本実施例のナット５の一方の端部（本実施例では、フランジ部７の反対側）の端面には、図６に示すように、シールキャップ３１の取付部３２の外周面に所定の隙間代を介して嵌合する嵌合面３３が形成され、止めねじ１９を螺合させる取付ねじ穴３４が、ナット５の外周面から嵌合面３３に半径方向に貫通して形成されている。
【００２７】
また、取付ねじ穴３４は、実施例１と同様に、円周方向に３箇所等配に形成され、その軸方向の位置は、図６に示すように、止めねじ１９の中心線が、Ｖ溝８の挟み角の頂点より取付部３２の軸方向の外側になるように形成されている。
上記のシールキャップ３１の取付部３２の外周面に形成されるＶ溝８も、実施例１と同様に、工具台２７のホルダベース２８に設けた傾斜面２８ａに、先端角が６０度に形成された市販のねじ切り用のチップ２５を固定した工具ホルダ２６を取付けて形成される。
【００２８】
このようにすれば、特別なチップ２５を用いなくても、市販の汎用チップを用いてＶ溝８を容易に形成することができると共に、チップ２５を傾けてＶ溝８を加工するので、Ｖ溝８の位置を取付部３２を形成するための段部の端面に近づけることができ、取付部３２の軸方向長さを短縮することが可能になる。
上記の構成により、シール部材１５を取付けた本実施例のシール組立体３０は、そのシールキャップ３１の取付部３２の外周面をナット５の端部の嵌合面３３に嵌合させ、ナット５の取付けねじ穴３４に螺合させた止めねじ１９をねじ込み、その円錐面１９ａで、取付部３２のＶ溝８の押圧斜面を半径方向の３方向から押圧し、シールキャップ３１の取付部３２を形成するための段部の端面をナット５の端面に押付けてナット５の端部に強固に固定される。
【００２９】
このように、本実施例においては、シール部材１５を取付けたシールキャップ３１の嵌合面３３を、ナット５の端部の取付部３２の外周面に嵌合させるので、リップ部１７ａとねじ軸３との芯合せを容易に行うことができる。
また、取付部３２の外周面に形成されたＶ溝８の押圧斜面を、止めねじ１９の円錐面１９ａで３方向から押圧してシール組立体３０を固定するので、ナット５とシールキャップ３１との端面同士を均等に押付けてバイパス経路となる隙間の形成を防止することができる。
【００３０】
更に、シール組立体３０を止めねじ１９で固定するので、固定時のリップ部１７ａの内周縁１７ｂの形状の位相を任意に設定することが可能になり、シール部材１５の固定時におけるリップ部１７ａの内周縁１７ｂの形状とねじ軸２の摺接部位の形状との位相を正確に設定することができ、位相ずれによるシール性の低下や、駆動トルクの増大を防止することができる。
【００３１】
更に、押圧斜面の傾斜角を、止めねじ１９の円錐面１９ａの傾斜角に一致させてあるので、押圧部における面圧の増大を防止しながら、円滑に押圧斜面を押圧することが可能になる。
更に、シール部材１５のリップ部１７ａをナット５の軸方向の外側に向かって縮小する円錐台形状に形成してあるので、リップ部１７ａの内周縁１７ｂの捲れ返る方向を全てナット５の軸方向の外側に向かう方向とすることができ、接触シールのシール性を向上させてナットの外部からの異物の侵入を確実に防止することができる。
【００３２】
以上説明したように、本実施例では、ボールねじ装置のナットの軸方向の端部に嵌合面を形成すると共に嵌合面に貫通する取付ねじ穴を設け、ナットの嵌合面に嵌合する外周面にＶ溝を形成した取付部を有するシールキャップの取付部のＶ溝の押圧斜面を、ナットの取付ねじ穴に螺合する止めねじの先端の円錐面で押圧して、シールキャップに取付けられたシール部材を固定するようにしたことによって、上記実施例１と同様の効果を得ることができる。
【００３３】
なお、本実施例においては、シール組立体をナットのフランジ部の反対側の端部に固定する場合を例に説明したが、フランジ部側の端部に設けるようにしてもよく、両端部に設けるようにしてもよい。要は異物の侵入を防止することが必要な側のナットの端部に設けるようにすればよい。
上記各実施例においては、止めねじは無頭であるとして説明したが、有頭の小ねじやボルトであってもよい。要は先端に円錐面が形成された小ねじやボルトであればどのようなものでもよい。
【００３４】
また、上記各実施例においては、Ｖ溝はＶ字状の溝として図示したが、２つの斜面を有していればよく、断面形状が台形形状のＶ溝であってもよい。
更に、上記各実施例においては、リターンチューブを連通路としてボールを循環させるチューブ式の循環方式を用いたボールねじ装置に本発明を適用した場合を例に説明したが、連通路は前記に限らず、連通路をこま式やエンドキャップ式、デフレクタ式等とした循環方式のボールねじ装置に本発明を適用しても同様の効果を得ることができる。
【００３５】
更に、上記各実施例においては、ボールねじ装置のねじ軸を回転させてナットを軸方向に移動させるとして説明したが、ナットを回転させてねじ軸を軸方向に移動させる形式のボールねじ装置に本発明を適用しても同様の効果を得ることができる。
【図面の簡単な説明】
【００３６】
【図１】実施例１のボールねじ装置の断面を示す説明図
【図２】図１のＡ部拡大図
【図３】実施例１のシール組立体の正面を示す説明図
【図４】実施例１のＶ溝の加工方法を示す説明図
【図５】実施例１のＶ溝の加工方法の他の形態を示す説明図
【図６】実施例２のボールねじ装置の断面を示す説明図
【図７】実施例２のシール組立体の正面を示す説明図
【符号の説明】
【００３７】
１    ボールねじ装置
２    ボール
３    ねじ軸
３ａ  外周面
４    軸軌道溝
５    ナット
６    ナット軌道溝
７    フランジ部
８    Ｖ溝
８ａ、８ｂ  斜面
９、３２  取付部
１０、３０  シール組立体
１１、３３  嵌合面
１２、３１  シールキャップ
１３  凹部
１４  ボルト
１５  シール部材
１６  芯金
１７  シール体
１７ａ  リップ部
１７ｂ  内周縁
１９  止めねじ
２０、３４  取付ねじ穴
２５  チップ
２６  工具ホルダ
２７  工具台
２８  ホルダベース
２８ａ  傾斜面
【図１】
2008261403.tif 000003
【図２】
2008261403.tif 000004
【図３】
2008261403.tif 000005
【図４】
2008261403.tif 000006
【図５】
2008261403.tif 000007
【図６】
2008261403.tif 000008
【図７】
2008261403.tif 000009